(57)【特許請求の範囲】
【請求項１】
幅約８０センチメートル乃至約９０センチメートル、長さ約２．５メートル乃至約３．５メートルの運動面積が確保できる室内、廊下等を使用して、軟球を全力投球し、その返球を立姿の捕手が捕球する運動ができる軟球投げ室内運動器で、繊維製ネットを張った、１個の小型矩形状の合成樹脂パイプ製のネットフレームと、前記ネットフレームに取りつけられた合成樹脂パイプ製の１対の足パイプからなる脚フレームとを設けて、前記ネットフレームが床面に対し傾斜角度が約２０°乃至約３５°に調節可能にしたものであって、前記ネットフレームが、左右に配列した１対の縦パイプと上下に配列した１対の横パイプとを４個のＬ型パイプ継手を介して組み立てられ、前記ネットフレームが、前記上の横パイプ及び前記左右の縦パイプを、矩形状のネットの周縁に形成される各ネット開口部、又は、前記周縁を折り返して２重に重ねた各ネット開口部を、前記各パイプが順次くぐってネット張りし、前記下横パイプに近接するネットの周縁を近接したネット開口部のネット糸が、前記下の横パイプに引掛けられた複数のフックにより、取りはずし可能に引掛けられてネット張りして、前記ネット全体の張力の緊張度を加減できるようにすると共に、前記ネット張りによりネット打球による衝撃の緩和と消音化がはかれていること、また、前記ネットフレームが、前記各縦パイプと前記各横パイプを、前記各Ｌ型パイプ継手を介して、スライド可能に嵌入して矩形状に形成すると共に、前記ネットフレームに張設されたネットによって、前記各縦パイプ及び前記各横パイプが前記各Ｌ型パイプ継手から脱落しないように維持されていること、前記ネットフレームが傾斜されたとき床面に接する前記下横パイプに外嵌している前記Ｌ型パイプ継手にスポンジ筒が強制外嵌されて変化する接地面に対しスポンジ足座を形成していること及び前記脚フレームが各足パイプの後端にスポンジ筒を強制外嵌されて変化する接地面に対しスポンジ足座を形成していることにより、４点スポンジ足座を形成してネット打球による衝撃の緩和と消音化がはかれるようにしていることを特徴とした軟球投げ室内運動器。
【請求項２】
前記脚フレームが、前記１対の足パイプを前記上の横パイプに取りつけて、前記上の横パイプが前記各足パイプを前方回動及び後方回動ができるようにするため、１対のキャップと１対のねじナットと１対の足パイプと１対のスポンジ筒とを備えて、前記各キャップは、前記各足パイプの前端に挿入されて固着できるように形成され、前記各ねじナットは、前記上の横パイプの両側に穿設された１対の貫孔及び前記各キャップの貫孔を介して、挿入されて前記各キャップを止着できるように形成されると共に、前記脚フレームを折り畳んで前記ネットフレームのネット裏面に収容できるようにしたことを特徴とした請求項１記載の軟球投げ室内運動器。
【請求項３】
前記脚フレームが、前記各足パイプをそれぞれ左右の各縦パイプに取り付けて、前記上の横パイプが前記各足パイプをそれぞれ左右回動できるようにするため、１対のキャップと１対のねじナットと１対の足パイプと１対のスポンジ筒とを備えて、前記各キャップは、前記各足パイプの前端に挿入されて固着できるように形成され、前記各ねじナットは、前記各縦パイプの上部に穿設された貫孔及び前記各キャップの貫孔を介して、挿入されて前記各キャップを止着できるように形成されると共に、前記脚フレームを折り畳んで前記ネットフレームのネット裏面に収容できるようにしたことを特徴とした請求項１記載の軟球投げ室内運動器。
【請求項４】
前記下横パイプ及び前記各足パイプの内部に鉄棒を嵌入してネット打球による衝撃の緩和、消音化及び前記ネットフレーム及び前記脚フレームからなる運動器の位置ずれの防止をはかったことを特徴とした請求項１、請求項２又は請求項３記載の軟球投げ室内運動器。
【発明の詳細な説明】
【技術分野】
【０００１】  本発明は、仕事場、家庭等の狭い室内、廊下等を利用して軟球投げによる全身運動ができるようにすると共に、ネット打球の消音化により夜間でも使用できるようにした室内用の軟球投げ運動器に関する。
【背景技術】
【０００２】  晴雨、昼夜に関係なく、食前、食後又は休憩時間等に軽く汗ばむ程度の全身運動を行うことは健康増進のため望ましい。しかしながら、仕事場や家庭の室内で、ゴルフボール打ちや、テニスボール打ち、ピンポンボール打ち、これらのネット打ち又は壁打ち等を行うことは、機器、家具、物品収納棚等が多い狭い室内では、ボール打ちによる騒音と、空間や面積に制約されるので、球技は殆ど実現不可能に近い。そのため狭い室内でできるベルト走行器や自転車こぎ器等が一部で行われているが、球技と異なり、単調で飽きやすく、長続きしない、器具が高価である、幼年者、老年者では取り扱いにくい等の欠点があった。
さらに、最近では、異常天候による豪雨、酷暑、厳寒や深刻な大気汚染、インフルエンザ等の流行、幼児の安全確保などから室内運動の重要性が認識され、仕事場、家庭内、保育所、老人施設等における健康課題として取り上げられている。
本願発明者は、既に、特開２００６−２２３８４６号公報に記載した室内用の軟球投げ運動器を開発し、間口約８０〜９０ｃｍ、奥行約２．５〜３．５メートルの極めて狭い廊下や室内の運動面積があれば、軟球を使用して投手が立姿でネット打ちによる投球、捕球又は拾球によって、短時間に汗ばむ程度の全身運動ができることを見出したが、消音化が不完全で、室内で夜間使用がしにくい欠点があった。
また、前記軟球投げ運動器は、ネットフレームと床面との傾斜角度を変更するためには、各足フレームをネットフレームの縦フレームへの取付位置を蝶ナットを取りはずして変更する必要があり、面倒で時間がかかる欠点があった。
さらに、前記ネットフレームは、ネットを多数のフックにより、１対の縦フレームと１対の横フレームとネット周縁との間に引掛けて維持していたので、ボールのネット打ちによる衝撃で、ボール打ち毎にフックがところどころ脱落する欠点があり、ネット打ち毎にネットの緊張力の調整を行う必要があった。
【先行技術文献】
【特許文献】
【０００３】
【特許文献１】  特開２００６−２２３８４６号公報
【発明の概要】
【発明が解決しようとする課題】
【０００４】  本発明は、特開２００６−２２３８４６号公報に記載した室内ボール投げ健康器と同様に間口約８０乃至約９０センチメートル、奥行約２．５メートル乃至約３．５メートルの極めて狭い室内の運動面積があれば、軟球を全力投球してその返球を立姿で捕球、返球又は拾球することにより、短時間で、飽きることなく、汗ばむ程度の全身運動ができるようにした軟球投げ室内運動器を提供すると共に、夜間に隣室に聞こえない程度にネット打球音を消音化することにある。
【課題を解決するための手段】
【０００５】  本発明の室内用軟球投げ運動器は、上記課題を達成するため、図示するように、請求項１の発明は、幅約８０センチメートル乃至約９０センチメートル、長さ約２．５メートル乃至約３．５メートルの運動面積が確保できる室内、廊下等を使用して、軟球を全力投球し、その返球を立姿の捕手が捕球する運動ができる軟球投げ室内運動器で、繊維製ネットを張った、１個の小型矩形状の合成樹脂パイプ製のネットフレームと、前記ネットフレームに取りつけられた合成樹脂パイプ製の１対の足パイプからなる脚フレームとを設けて、前記ネットフレームが床面に対し傾斜角度が約２０°乃至約３５°に調節可能にしたものであって、前記ネットフレームが、左右に配列した１対の縦パイプと上下に配列した１対の横パイプとを４個のＬ型パイプ継手を介して組み立てられ、前記ネットフレームが、前記上の横パイプ及び前記左右の縦パイプを、矩形状のネットの周縁に形成される各ネット開口部、又は、前記周縁を折り返して２重に重ねた各ネット開口部を、前記各パイプが順次くぐってネット張りし、前記下横パイプに近接するネットの周縁を近接したネット開口部のネット糸が、前記下の横パイプに引掛けられた複数のフックにより、取りはずし可能に引掛けられてネット張りして、前記ネット全体の張力の緊張度を加減できるようにすると共に、前記ネット張りによりネット打球による衝撃の緩和と消音化がはかれていること、また、前記ネットフレームが、前記各縦パイプと前記各横パイプを、前記各Ｌ型パイプ継手を介して、スライド可能に嵌入して矩形状に形成すると共に、前記ネットフレームに張設されたネットによって、前記各縦パイプ及び前記各横パイプが前記各Ｌ型パイプ継手から脱落しないように維持されていること、前記ネットフレームが傾斜されたとき床面に接する前記下横パイプに外嵌している前記Ｌ型パイプ継手にスポンジ筒が強制外嵌されて変化する接地面に対しスポンジ足座を形成していること及び前記脚フレームが各足パイプの後端にスポンジ筒を強制外嵌されて変化する接地面に対しスポンジ足座を形成していることにより、４点スポンジ足座を形成してネット打球による衝撃の緩和と消音化がはかれるようにしたものである。
また、本発明の室内用軟球投げ運動器は、上記課題を達成するため、図示するように、請求項２の発明は、請求項１の発明において、前記脚フレームが、前記１対の足パイプを前記上の横パイプに取りつけて、前記上の横パイプが前記各足パイプを前方回動及び後方回動ができるようにするため、１対のキャップと１対のねじナットと１対の足パイプと１対のスポンジ筒とを備えて、前記各キャップは、前記各足パイプの前端に挿入されて固着できるように形成され、前記各ねじナットは、前記上の横パイプの両側に穿設された１対の貫孔及び前記各キャップの貫孔を介して、挿入されて前記各キャップを止着できるように形成されると共に、前記脚フレームを折り畳んで前記ネットフレームのネット裏面に収容できるようにしたものである。
また、本発明の室内用軟球投げ運動器は、上記課題を達成するため、図示するように、請求項３の発明は、請求項１の発明において、前記脚フレームが、前記各足パイプをそれぞれ左右の各縦パイプに取り付けて、前記上の横パイプが前記各足パイプをそれぞれ左右回動できるようにするため、１対のキャップと１対のねじナットと１対の足パイプと１対のスポンジ筒とを備えて、前記各キャップは、前記各足パイプの前端に挿入されて固着できるように形成され、前記各ねじナットは、前記各縦パイプの上部に穿設された貫孔及び前記各キャップの貫孔を介して、挿入されて前記各キャップを止着できるように形成されると共に、前記脚フレームを折り畳んで前記ネットフレームのネット裏面に収容できるようにしたものである。
さらに、本発明の室内用軟球投げ運動器は、上記課題を達成するため、図示するように、請求項４の発明は、請求項１、請求項２又は請求項３の発明において、前記下横パイプ及び前記各足パイプの内部に鉄棒を嵌入してネット打球による衝撃の緩和、消音化及び前記ネットフレーム及び前記脚フレームからなる運動器の位置ずれの防止をはかったものである。
本発明において、軟球の投球による返球の飛び球の飛行軌道は、長さ約２．５メートル乃至約３．５メートルの範囲内の狭い運動面積内においては、ネットフレームの床面に対する傾斜角度は、約２０°乃至約３５°の範囲が好ましく、立姿の捕手は、ネットフレームの床面に対する傾斜角が、約２０°以下では、軟球の投球及びその返球の捕球が困難になり、約３５°以上では、返球の飛び球の飛行軌道が低くなり、捕球が困難になる頻度が多くなるので好ましくない。
ネットフレームの床面に対する傾斜角は、脚フレームを介して、ネットフレームを形成する上横フレーム又は各縦パイプをその軸線方向に回動すれば、調節でき、また、脚フレームの折畳みも同様の操作でできる。
【発明の効果】
【０００６】  本発明の軟球投げ室内運動器は、床面に対し、ネット面を約２０°乃至約３５°に傾斜させる操作が脚フレームを手で動かす動作だけで済み、また、ネット張度の調節が手でネット下端をフックで張る動作だけで済み、ネット面に投げられた軟球は全力投球しても、打球によるネットの衝撃緩和によりネット面で打球された軟球の返球速度は減少し、返球飛距離は短くなり、また、ネットの床面に対する傾斜角度により、短い距離に拘わらず、比較的高い放物線を画いて返球されるので、立姿の捕手が手で飛球を受け取り易く、また、軟球のため、老幼男女、誰でも投球、捕球及び返球ができ、飛球の変化により、飽きることがなく、拾球も含めて汗ばむ軽い全身運動が短時間でできる。その上に、ネットフレームが、矩形状のネットの３辺のネット開口部に順次くぐらせて各縦パイプにたるんで張られていること、４個のＬ型パイプ継手の１対の縦パイ及び１対の横パイプがスライド可能に嵌入するだけで組み立てられていること、前記ネットフレームに張設されたネットによって、前記各縦パイプ及び前記各横パイプが前記各Ｌ型パイプ継手から脱落しないように維持されていること、各足パイプの下端にスポンジ筒を強制嵌入してスポンジ足座を形成したこと及び床面に接するネットフレームのＬ型パイプ継手にスポンジ筒を強制嵌入してスポンジ足座を形成したことによる４点スポンジ足座を設けたこと、前記下の横パイプ及び前記各足パイプの内部に鉄棒を嵌入して運動器の重量を附加したことから、ネットフレームに張られたネットに対する軟球の打球の衝撃緩和や消音化、運動器の位置ずれ防止に大きく役立つ。従って、室内の部屋又は廊下等で、雨天、昼夜を問わずに軟球投げ全身運動をすることができ、近隣や隣室にネット打球による迷惑をかけることなく、また、人間、動物、設備、器物に対する損傷が発生しにくい。
また、本発明軟球投げ室内運動器は、構造簡単、小型で、脚フレームはネット面に容易に折り畳めるので、格納、運搬、移動が誰でも容易にできる。
また、本発明軟球投げ室内運動器は、ネットフレームと脚フレームには突起物がなく安全管理できる上に、組立製作が容易にできる。
【図面の簡単な説明】
【０００７】
【図１−１】本発明の実施例を示す全体斜視図である。
【図１−２】図１−１に使用した脚フレームの足パイプの説明図である。
【図１−３】図１−１の使用状態説明図である。
【図１−４】図１−１に使用したネットフレーム裏面の説明図である。
【図１−５】脚フレームの各足パイプを折り畳んだときのネットフレーム裏面の説明図である。
【図１−６】ネット張りの別例を示した説明図である。
【図２−１】本発明の別の実施例を示す全体斜視図である。
【図２−２】図２−１に使用したネットフレーム裏面の説明図である。
【図２−３】図２−１に使用した脚フレームの各足パイプを折り畳んだときのネットフレーム裏面の説明図である。
【発明を実施するための形態】
【０００８】  本発明軟球投げ室内運動器の実施例１及び実施例２が、以下の記述と図面に示されている。
【実施例１】
【０００９】  本発明の軟球投げ室内運動器は、ネット３０を張った外形が矩形状の１個のネットフレーム１０と、１対の足パイプ２１からなる脚フレーム２０を備えている。
ネットフレーム１０は、図１−１、図１−４及び図１−５に示すように、１対の合成樹脂パイプ製の縦パイプ１１（１）、１１（２）と、１対の合成樹脂パイプ製の横パイプ１２（１）、１２（２）と、前記各縦パイプ１１及び前記各横パイプ１２をそれぞれスライド可能に嵌入する４個の合成樹脂製Ｌ型パイプ継手１３から組み立てられる。
上横パイプ１２（１）は、両側部に、後記ナット２５２付のねじ棒２５１を挿入する１対の貫孔１２０を設けている。
床面５０側の下横パイプ１２（２）の両端に外嵌する各Ｌ型パイプ継手１３の接地部分には、前記Ｌ型パイプ継手１３の外径より小さい内径のスポンジ筒１４を強制嵌入して固着して接地面に１対のスポンジ足座１４０を形成している。
ネット３０は矩形状に切断された有結節ネットでつくられ、ネット３０の３辺３１、３１、３２（１）の約２．５センチメートルのネットの結び目と結び目の間（目合い）のネット糸（以下、単にネット糸という。）３００により形成された各開口部３０１が、図１−１、図１−４及び図１−５に示すように、ネットフレーム１０のパイプ１１（１）、１１（２）、１２（１）に順次くぐらされて張られる。また、図１−６の別例に示すように、２つ折りされた２重の開口部３０１に前記のパイプ１１（１）、１１（２）及び１２（１）を順次くぐらして張ることもできる。ネット３０の残り一辺３２（２）は、ネットフレーム１０の下横パイプ１２（２）に取りつけられた複数個のフック３１１により取りはずし可能に任意のネット糸３００に引掛けて張って、ネットフレーム１０内でネット３０の全体の張力の緊張度を加減できるように形成している。
脚フレーム２０は、図１−１、図１−２及び図１−５に示すように、前記１対の足パイプ２１からなる脚フレーム２０を前記上の横パイプ１２（１）に取り付けて、前記上の横パイプ１２（１）が、前記各足パイプ２１を前方回動及び後方回動ができるようにするため、１対の合成樹脂製足パイプ２１と、各足パイプ２１の上端に挿入されて固着される合成樹脂製キャップ２２と、各足パイプ２１の後端に足パイプ２１の外径より小さい内径のスポンジ筒を強制外嵌して固着し、接地面に１対のスポンジ足座２６０を形成している。
前記各キャップ２２は前述したナット２５２付のねじ棒２５１を上横パイプ１２（１）の各貫孔１２０及び各キャップ２２の貫孔２２０を介して挿入してナット２５２により各キャップ２２が上横パイプ１２（１）に止着される。
さらに、前記１対の足パイプ２１及び前記下横パイプ１２（２）には、パイプ長さとパイプ内径がほぼ同じサイズの鉄棒が嵌入される。
従って、ネットフレーム１０の床面５０に対する傾斜角度αを２０°〜３５°に調節したのち、図１−３に示すように、投手７０が軟球４０をネットフレーム１０に投球すれば、軟球４０は、全力投球しても狭い床面積５０において、立姿の捕手７０に対し、比較的高い放物線状の飛球の短距離の飛行軌道６０により返球して捕球しやすくなり、捕球されなかったときの球拾いと共に全身運動に役立つ。
その上、ネットフレーム１０が、１対の縦パイプ１１及び上横パイプ１２（１）を、ネット３０の開口部３０１を介してくぐらせてネット張りしてたるみをもたしていること、ネットフレーム１０は、各縦パイプ１１及び各横パイプ１２がそれぞれＬ型パイプ継手１３を介してスライド可能に嵌入して組み立てられていること、１対の縦パイプ１１（１）及び１１（２）及び１対の横パイプ１２（１）及び１２（２）が、４個のＬ型パイプ継手１３を介して、各Ｌ型パイプ継手１３から前記各パイプが脱落しないように維持されていることにより、ネット打球による衝撃の緩和と消音化に役立つ。また、各脚フレーム２０が、各足パイプ２１の後端にスポンジ足座２６０を形成すると共に、床面に接する各Ｌ型パイプ継手１３に強制外嵌したスポンジ筒１４が接地面にスポンジ足座１４０を形成し４点スポンジ足座による支持を設けているので、ネット打球による衝撃の緩和と消音化に役立ち、さらに、下横パイプ１２（２）と各足パイプ２１の各内部に鉄棒を嵌入しているので、ネット打球による衝撃の緩和と消音化と運動器の位置ずれに対応してさらに効果を上げることに役立ち、室内で夜間、ネット投球による消音化が確実にできることになった。
【実施例２】
【００１０】  本発明の軟球投げ室内運動器は、ネット３０を張った外形が矩形状の１個のネットフレーム１０Ｂと、１対の足パイプ２１Ｂを設けた脚フレーム２０Ｂを備えている。
ネットフレーム１０Ｂは、図２−１、図２−２及び図２−３に示すように、１対の合成樹脂パイプ製の縦パイプ１１（１）、１１（２）と、１対の合成樹脂パイプ製の横パイプ１２（１）、１２（２）と、前記各縦パイプ１１及び前記各横パイプ１２をそれぞれスライド可能に嵌入する４個の合成樹脂製Ｌ型パイプ継手１３から組み立てられる。
パイプ継手１３は、実施例１と同一のもので詳細説明は省略する。
前記各縦パイプ１１は、上部に、後記ナット２５２付のねじ棒２５１を挿入する１対の貫孔１１０を設けている。
床面５０側の下横パイプ１２（２）の両端に外嵌する各Ｌ型パイプ継手１３には、その外径より小さい内径のスポンジ筒１４を強制外嵌して、接地面に１対の足座１４０を形成している。
ネット３０は実施例１のネット３０と同一のため詳細説明は省略する。
脚フレーム２０Ｂは、図２−１及び図２−３に示すように、前記足パイプ２１Ｂをそれぞれ設けた左右の各縦パイプ１１に前記各足パイプ２１Ｂをそれぞれ取り付けて、各縦パイプ１１が各足パイプ２１Ｂをそれぞれ左右回動ができるようにするため、１対の合成樹脂製足パイプ２１Ｂと、各足パイプ２１Ｂの上端に挿入されて固定される合成樹脂製キャップ２２と、足パイプ２１Ｂの後端に足パイプ２１Ｂの外径より小さい内径のスポンジ筒２６Ｂを強制外嵌して固着し接地面にスポンジ足座２６０Ｂを形成している。その他の脚フレーム２０Ｂの詳細は、実施例１の脚フレーム２０と同一のため詳細説明は省略する。
各キャップ２２は前述したようにナット２５２付のねじ棒２５１を一対の縦パイプ１１（１）及び１１（２）の各貫孔１１０及び前記各キャップ２２の貫孔２２０を介して挿入してナット２５２により前記各キャップ２２が縦パイプ１１（１）及び１１（２）に止着される。
さらに、下横パイプ１２（２）及び１対の足パイプ２１Ｂの内部に実施例１と同様に鉄棒が嵌入される。
従って、実施例１と同様に、図１−３に示すよう軟球投げができるが、その上、ネットフレーム１０Ｂが、１対の縦パイプ１１及び上横パイプ１２（１）を、ネット３０の開口部３０１を介してくぐらせてネット張りしてネットにたるみをもたせていること、ネットフレーム１０Ｂは各縦パイプ１１及び各横パイプ１２がそれぞれＬ型パイプ継手１３を介してスライド可能に嵌入して組み立てられていること、１対の縦パイプ１１（１）及び１１（２）及び１対の横パイプ１２（１）及び１２（２）が、４個のＬ型パイプ継手１３を介して、各Ｌ型パイプ継手１３から前記各パイプが脱落しないように維持されていることにより、ネット打球による衝撃の緩和と消音化に役立つ。また、各脚フレーム２０Ｂが、各足パイプ２１Ｂの後端にスポンジ足座２６０Ｂを形成すると共に、床面に接する各Ｌ型パイプ継手１３に強制外嵌したスポンジ筒１４が接地面にスポンジ足座１４０を形成し４点スポンジ足座による支持を設けているので、ネット打球による衝撃の緩和と消音化に役立ち、さらに、下横パイプ１２（２）と各足パイプ２１Ｂの各内部に鉄棒を嵌入しているので、ネット打球による衝撃の緩和と消音化と運動器の位置ずれに対応してさらに効果を上げることに役立っているので、室内で夜間、ネット投球による消音化が確実にできることになった。
【産業上の利用可能性】
【００１１】  本発明の軟球投げ室内運動器は、狭い面積で、夜間でも騒音なく実施できる、万人向きの健康運動具である。
【符号の説明】
【００１２】１０、１０Ｂ      ネットフレーム
１１、１１（１）、１１（２）      縦パイプ
１１０        パイプ貫孔
１２、１２（１）、１２（２）      横パイプ
１２０        パイプ貫孔
１３          Ｌ型パイプ継手
１４          スポンジ筒
１４０ スポンジ足座
２０、２０Ｂ        脚フレーム
２１、２１Ｂ        足パイプ
２２          キャップ
２５１        ねじ棒
２６、２６Ｂ        スポンジ筒足座
２６０、２６０Ｂ スポンジ足座
３０          ネット
３００        ネット糸（結び目と結び目との間のネット糸）
３０１        ネット開口部
３１、３１、３２（１）      矩形状ネット３辺
３２（２）    矩形状ネット残り１辺
３１１        フック
４０          軟球
５０          床面
６０          飛行軌道
７０          投手（捕手）
α ネットフレーム１０の床面５０に対する傾斜角度
【要約】      （修正有）【課題】厳寒時、酷暑時、降雨時、深夜時に、巾約８０〜９０ｃｍ、長さ２．０〜３．０ｍの運動面積があれば、狭い室内や廊下で、短時間に汗ばむ軽い全身運動が、飽きることなく、面白く、老若男女、児童、幼児も含めて誰でも立姿でできると共に、軟球の投球、捕球、拾球が、近隣や隣室に迷惑をかけることなく、騒音なくできる軟球投げ室内運動器を提供する。【解決手段】矩形状の合成樹脂製パイプフレーム１０を矩形状ネット３０の各開口部３０１を順次くぐらすだけでネット３辺を張り、残りネットの１辺をフック３１１で引掛けて張力調節すると共に、パイプフレーム１０の１対の縦パイプと１対の横パイプを４個のＬ型パイプ継手１３にスライド可能に嵌入し、脚フレーム２０の足パイプ２１及びＬ型パイプ継手１３の接地面を床面に対するクッションができるスポンジ筒を固着し、軟球によるネット打ちの衝撃緩和と騒音防止をはかった軟球投げ室内運動器。【選択図】図１−１【図１−１】
0005974403.tif 000002
【図１−２】
0005974403.tif 000003
【図１−３】
0005974403.tif 000004
【図１−４】
0005974403.tif 000005
【図１−５】
0005974403.tif 000006
【図１−６】
0005974403.tif 000007
【図２−１】
0005974403.tif 000008
【図２−２】
0005974403.tif 000009
【図２−３】
0005974403.tif 000010